(57)【要約】【課題】光ディスクの再生時における応答性及び安定性を向上させる。【解決手段】光ディスク１ａ、１ｂに書き込まれたデータを読み出す読み出し制御部２と、データの書き込みが可能な媒体４と、読み出し制御部２によって読み出されたデータを与えられ、媒体に書き込みを行い、書き込んだこのデータを読み出して再生信号を出力することで、光ディスクの再生を行うデータ処理部３ａとを備え、書き込み可能媒体はデータ処理部に対して着脱が可能であることを特徴とする。【選択図】図１
2007280507.tif 000002
【特許請求の範囲】
【請求項１】
光ディスクに書き込まれたデータを読み出す読み出し制御部と、
前記読み出し制御部によって読み出されたデータを与えられ、データの書き込みが可能かつ着脱が可能な媒体に書き込みを行い、書き込んだこのデータを読み出して再生信号を出力することで、前記光ディスクの再生を行うデータ処理部と、
を備えることを特徴とする光ディスク再生装置。
【請求項２】
前記データ処理部は、前記所定の処理を終了する時点で、前記媒体に書き込んだデータを記憶することを特徴とする請求項１記載の光ディスク再生装置。
【請求項３】
前記データ処理部は、前記光ディスクの識別情報、前記光ディスクから読み出されて前記媒体に書き込まれたデータの識別情報を記録しておき、前記光ディスクの再生時に、前記媒体に既に取り込まれたデータが存在する場合は、前記光ディスクから前記読み出し制御部が読み出すことなく、前記媒体に取り込まれた前記データを用いて再生することを特徴とする請求項１又は２記載の光ディスク再生装置。
【請求項４】
前記光ディスクに圧縮データが記録されている場合、前記データ処理部は前記媒体に前記圧縮データを書き込むと共に転送レートを書き込み、前記媒体から圧縮データを読み出してデコードを行うことを特徴とする請求項１乃至３のいずれか一に記載の光ディスク再生装置。
【請求項５】
前記媒体に既に書き込まれたデータを示す情報を表示する表示部をさらに備えることを特徴とする請求項１乃至４のいずれか一に記載の光ディスク再生装置。
【発明の詳細な説明】
【技術分野】
【０００１】
本発明は、光ディスク再生装置に関する。
【背景技術】
【０００２】
光ディスクとして、例えばＣＤ−ＤＡ（Compact Disc −Digital Audio）上に記録されたオーディオデータ、あるいはＣＤ−ＲＯＭ（Compact Disc −Read Only Memory）上において、ＭＰ３（Moving Picture Experts Group Audio Layer 3）等の規格に従い圧縮されて記録された圧縮オーディオデータを、光ディスク再生装置を用いて順次読み取り再生することが行われている。
【０００３】
しかし、光ディスクの読み取りには時間がかかり、読みとったデータを直接再生するのでは応答性において良好でなかった。また、物理的衝撃等が光ディスクの読み出し機構に加わると、読み出し動作に一旦支障が生じ、再度光ディスクから読み出すことで遅れが生じて音飛び等が発生する等、安定性に問題があった。
【０００４】
以下に、従来の光ディスク再生装置を開示した文献名を記載する。
【特許文献１】特開２００３−５９２３９号公報
【発明の開示】
【発明が解決しようとする課題】
【０００５】
本発明は、光ディスクの再生における応答性及び安定性が向上した光ディスク再生装置を提供することを目的とする。
【課題を解決するための手段】
【０００６】
本発明の一態様による光ディスク再生装置は、光ディスクに書き込まれたデータを読み出す読み出し制御部と、前記読み出し制御部によって読み出されたデータを与えられ、データの書き込みが可能かつ着脱が可能な媒体に書き込みを行い、書き込んだこのデータを読み出して再生信号を出力することで、前記光ディスクの再生を行うデータ処理部と、を備えることを特徴とする光ディスク再生装置である。
【発明の効果】
【０００７】
本発明の光ディスク再生装置によれば、光ディスクの再生時における応答性及び安定性が向上する。
【発明を実施するための最良の形態】
【０００８】
以下、本発明の実施の形態による光ディスク再生装置について、図面を参照して説明する。
【０００９】
(１)実施の形態１
本発明の実施の形態１による光ディスク再生装置の構成を図１に示す。
【００１０】
この光ディスク再生装置は、読み出し制御部２、データ処理部３ａ、さらに例えばフラッシュメモリ等の電気的書き込み及び消去が可能なメモリを内蔵したＳＤカード等の書き込み可能な媒体４を備えている。
【００１１】
ここで、媒体４はデータ処理部３ａに対して着脱が可能である。後述するように、データ処理部３ａは随時必要に応じて媒体４にデータを書き込むことができる。このため、データ処理部３ａは媒体４の空き領域を調べて、再生データや再生の際に必要なデータを書き込むことになる。
【００１２】
図２に、本実施の形態１における再生処理の手順を示す。ステップＳ１として、光ディスク、ここでは具体的にはＣＤ−ＤＡ１ａから読み出し制御部２がオーディオデータを読み出す。
【００１３】
ステップＳ２として、オーディオデータを与えられたデータ処理部３ａが、媒体４の空き領域を探して書き込む。
【００１４】
ステップＳ３として、再生すべきデータが媒体４に書き込み済みかどうかを判断し、書き込んでいない場合はステップＳ１へ戻る。書き込み済みである場合は、次のステップＳ４へ移行する。
【００１５】
ステップＳ４として、データ処理部３ａが媒体４から再生すべきデータを読み出す。
【００１６】
ステップＳ５として、データ処理部３ａが再生用の信号、即ちオーディオ信号として出力する。
【００１７】
以上のステップを全データの再生が終了するまで、もしくは再生停止の支持があるまで繰り返す。
【００１８】
ここで、データ処理部３ａから読み出し制御部２には読み出し動作に必要な制御信号が与えられ、また読み出し制御部２からデータ処理部３ａにはステータス信号が与えられる。データ処理部３ａと、データ処理部３ａから出力されたオーディオ信号が与えられる図示されていない外部の装置との間では、外部インタフェース（Ｉ／Ｆ）信号が送受信される。
【００１９】
またデータ処理部３ａは、ＣＤ−ＤＡ１ａを特定するための識別情報（以下、光ディスクＩＤと称する）、取り込み済みのデータ、再生中のデータ、例えば音楽の再生であれば再生中の曲番号、及び媒体４の識別情報（以下、媒体ＩＤと称する）とを、内蔵するメモリ内に記憶しておく。
【００２０】
これによりデータ処理部３ａは、記憶しておいた光ディスクＩＤ、取り込み済みのデータ、再生中のデータ及び媒体ＩＤを参照し、これから再生するデータが既に取り込み済みのデータと一致する場合は、読み出し制御部２によってＣＤ−ＤＡ１ａからデータを読み出すことなく媒体４に取り込んであるデータを読み出して再生を行う。
【００２１】
また、データ処理部３ａは、再生処理を終了する時点で、媒体４に書き込んだデータを内蔵するメモリに記憶してもよい。これにより、データ処理部３ａがこのデータを処理する際の効率がより向上する。
【００２２】
このように本実施の形態１によれば、データ処理部３ａが媒体４の空き領域を有効に活用してデータを取り込んで再生することにより、ＣＤ−ＤＡ１ａへのアクセス時間を減らすことができる。この結果、ＣＤ−ＤＡ１ａから機械的にデータを読み出して直接再生するのでなく、予め媒体４にデータを取り込んだ後に媒体４から読み出して再生することで、再生時における応答性が向上する。さらに、読み出し制御部２によるＣＤ−ＤＡ１ａの読み出し動作に物理的衝撃等が加わった場合にも、音飛び等の発生を防止し安定して再生することが可能である。
【００２３】
（２） 実施の形態２
本発明の実施の形態２による光ディスク再生装置について、図３を用いて説明する。
【００２４】
上記実施の形態１による光ディスク再生装置は、光ディスクとして具体的にはＣＤ−ＤＡ１を再生する装置に関する。ＣＤ−ＤＡを再生する場合は、読み出し制御部２により読み出されたオーディオデータをそのままデータ処理部３ａが媒体４に書き込みながら再生し、オーディオ信号として外部へ出力する。
【００２５】
これに対し本実施の形態２は、図３に示されたように、光ディスクの具体例としてＣＤ−ＲＯＭ１ｂを読み出すものである。ＣＤ−ＲＯＭ１ｂ上には、例えばＭＰ３やＭＰＥＧ−２ＡＡＣ（Moving Picture Experts Group - 2 Advanced Audio Codec）等の規格に従い圧縮されたオーディオデータが記録されている。
【００２６】
読み出し制御部２がＣＤ−ＲＯＭ１ｂから圧縮データを読み出し、データ処理部３ｂが媒体４に書き込むと共に、書き込んだデータを読み出す。読み出した圧縮データを、データ処理部３ｂ内に設けられたデコーダでデコードし、オーディオ信号を外部へ出力する。データ処理部３ｂが圧縮データをデコードする処理を除いて、図２に示された上記実施の形態１と処理の手順は同一であり、説明を省略する。
【００２７】
ここで音楽の再生を例にとると、各曲に関する情報として、転送レートや総演奏時間等も併せてデータ処理部３ｂが記録し保持してもよい。これにより、データ処理部３ｂが直接媒体４から読み出せばよいので、ＣＤ−ＲＯＭ１ｂからこれらの情報を読み出し制御部２を介して再度読み出す必要がなくなり、処理効率が向上する。
【００２８】
またデータ処理部３ｂが、光ディスクＩＤ、取り込み済みの圧縮データ、再生中のオーディオデータ、及び媒体ＩＤを記憶しておき、これから再生するオーディオデータが既に取り込み済みの圧縮データと一致する場合は、ＣＤ−ＲＯＭ１ｂを回転させることなく媒体４に取り込んである圧縮データを読み出してデコードし、再生を行う。
【００２９】
これにより本実施の形態２によれば、データ処理部３ａが媒体４へ圧縮データを取り込んでデコードして再生することにより、ＣＤ−ＲＯＭ１ｂへのアクセス時間を減らして応答性を向上させることができる。また、読み出し制御部２によるＣＤ−ＲＯＭ１ｂの読み出し動作に物理的衝撃等が加わった場合にも、予め媒体４に圧縮データを取り込んでデコードし再生することで、このような影響を受けることなく安定して再生することができる。
【００３０】
（３） 実施の形態３
本発明の実施の形態３による光ディスク再生装置の構成を図４に示す。
【００３１】
本実施の形態３は、上記実施の形態１又は２の構成に加えて、さらに取り込み済みのデータ、例えば取り込み済の曲を示す情報を表示する手段として、表示部５を備えている。
【００３２】
図５に、表示部５における表示内容の一例を示す。図５（ａ）に示す表示例では、媒体４に取り込み済みの曲については、番号を括弧付きで［１］［２］［３］というように表示する。取り込み中の曲については、その番号を他の種類の括弧付きで〈４〉というように表示する。取り込みが行われていない曲については、番号を括弧を用いずに表示する。
【００３３】
あるいは、図５（ｂ）に示す表示例では、取り込み済みの曲、取り込み中の曲、さらには取り込みが行われていない曲のそれぞれの番号を、異なる字体で表示する。
【００３４】
これにより、取り込み済みの曲、取り込み中の曲、取り込みが行われていない曲を区別して表示することができる。あるいは図５（ａ）、（ｂ）に示されていない表示例として、異なる色を用いて上記３種類の曲の番号を区別したり、マーキングの有無等により区別してもよい。
【００３５】
上記実施の形態１、２と同様に本実施の形態３においても、データ処理部３ａ又は３ｂが媒体４へデータを取り込んでデコードして再生することにより、ＣＤ−ＤＡ１ａ又はＣＤ−ＲＯＭ１ｂへのアクセス時間を減らすことができる。また、読み出し制御部２によるＣＤ−ＤＡ１ａ、ＣＤ−ＲＯＭ１ｂの読み出し動作に物理的衝撃等が加わった場合にも、予め媒体４にデータを取り込んでデコードし再生することで安定した再生が可能である。
【００３６】
さらに本実施の形態３によれば、取り込み済みのデータ、例えば曲情報を表示することで、ユ−ザに対して動作状況を知らせることができる。
【００３７】
上述した実施の形態はいずれも一例であって本発明を限定するものではなく、本発明の技術的範囲内において様々に変形することが可能である。
【図面の簡単な説明】
【００３８】
【図１】本発明の実施の形態１による光ディスク再生装置の構成を示したブロック図。
【図２】同光ディスク再生装置における処理の手順を示したフローチャート。
【図３】本発明の実施の形態２による光ディスク再生装置の構成を示したブロック図。
【図４】本発明の実施の形態３による光ディスク再生装置の構成を示したブロック図。
【図５】同光ディスク再生装置における取り込み曲の情報表示の一例を示す説明図。
【符号の説明】
【００３９】
１ａ  ＣＤ−ＤＡ
１ｂ  ＣＤ−ＲＯＭ
２  読み出し制御部
３ａ、３ｂ  データ処理部
４  データ書き込み可能媒体
５  表示部
【図１】
2007280507.tif 000003
【図２】
2007280507.tif 000004
【図３】
2007280507.tif 000005
【図４】
2007280507.tif 000006
【図５】
2007280507.tif 000007